(57)【要約】【課題】薄型化が可能であるとともに、従来よりも優れた集光特性を得ることが可能な照明装置を提供する。【解決手段】  複数の発光素子２２と、導光板４０と、導光板４０の主面４０２の一部を覆う集光カバー５０とを備える照明装置１００とする。導光板４０は板内に導光される光を反射させる複数の凹状反射部４０３を有する。集光カバー５０は、各凹状反射部４０３と個別に光学的な対向関係を保って配置された複数の上レンズ部５０１、下レンズ部５０２を有する。上レンズ部５０１は頂部５０１０ａを含み且つ光軸に沿った断面形状が第１関係式で規定される第１レンズ領域５０１０と、上レンズ部５０１の基部を含み、断面形状が第１関係式と異なる第２関係式で規定される第２レンズ領域５０１１とを有する。第２レンズ領域５０１１の光軸に沿った断面形状は、第１関係式で規定した場合に比べて表面の位置が外側となるように第２関係式で規定する。【選択図】図８
2014160616.tif 000002
【特許請求の範囲】
【請求項１】
複数の発光素子と、
前記複数の発光素子から出射した光を板内において導光する導光板と、
前記導光板の主面の少なくとも一部を覆う集光カバーとを備え、
前記導光板は、前記主面と背向する裏面の一部を凹入させ且つ前記導光板の板内に導光される光を前記集光カバー側に反射させる複数の凹状反射部を有し、
前記集光カバーは、前記各凹状反射部と個別に光学的な対向関係を保って配置され且つ前記各凹状反射部からの反射光を前記導光板の主面に垂直な主出射方向に集光する複数のレンズ部とを有し、
前記レンズ部は、光軸上の基準位置からレンズ表面の任意位置までの距離と、前記基準位置及びレンズ表面の任意位置を通る直線と前記光軸とのなす角度とを関係付ける関係式により、表面形状が規定される非球面レンズであり、前記レンズ部の頂部を含む第１レンズ領域と、前記レンズ部の基部を含み且つ前記第１レンズ領域と隣り合う第２レンズ領域とを有し、
前記第１レンズ領域の表面形状が第１関係式で規定され、
前記第２レンズ領域の表面形状が、前記第１関係式で規定した場合に比べて前記距離が長くなる第２関係式で規定されている
ことを特徴とする照明装置。
【請求項２】
前記集光カバーは、主面に前記各レンズ部が配置された板状のベース部をさらに有し、
前記集光カバーは、前記ベース部の主面と背向する裏面において前記導光板の主面と対向配置され、
前記各レンズ部のピッチをＷ、前記導光板の板厚をＤとするとき、１．５≦Ｗ／Ｄ≦２．５の関係が成立する
請求項２に記載の照明装置。
【請求項３】
前記導光板中の基準位置Ａから前記第１レンズ領域の表面の任意位置までの距離をｒ1、前記基準位置Ａから前記頂部までの距離をｔ1、前記距離ｒ1を通る直線と前記レンズ部の光軸との間の角度をθ1、ｎを前記導光板の屈折率とするとき、前記第１関係式として
ｒ1＝（ｎ−１）×ｔ1／（ｎ−ｃｏｓθ1）が成立する
請求項１または２に記載の照明装置。
【請求項４】
前記導光板中の基準位置Ａから前記第２レンズ領域の表面の任意位置までの距離をｒ2、基準位置Ａから前記第１レンズ領域の表面までの最大高さをｔ1、前記距離ｒ2を通る直線と前記レンズ部の光軸との間の角度をθ2、ｎを前記導光板の屈折率、ｋ1、ｋ2を正の定数、基準位置Ａから前記レンズ部の表面における前記第１レンズ領域と前記第２レンズ領域との境界を通る直線と前記レンズ部の光軸との間の角度をθchとするとき、前記第２関係式として
ｒ2＝（ｎ−１）｛ｔ1＋ｋ1（θ2−θch）k2／（ｎ−ｃｏｓθ2）
が成立する
請求項１〜３のいずれかに記載の照明装置。
【請求項５】
前記集光カバーは、前記導光板の主面と対向するように配置された複数の補助レンズ部をさらに有し、
前記各補助レンズ部は前記各レンズ部と個別に互いの光軸が一致するように配置されている
請求項１〜４のいずれかに記載の照明装置。
【請求項６】
前記補助レンズ部の光軸に沿った前記導光板中の基準位置Ｂから前記補助レンズ部の表面の任意位置までの距離をｒ3、前記基準位置Ｂから前記補助レンズの頂部までの距離をｔ3、前記距離ｒ3を通る直線と前記補助レンズ部の光軸との間の角度をθ3、ｎを前記集光カバーの屈折率とするとき、第３関係式として
ｒ3＝（ｎ−１）×ｔ3×ｃｏｓθ3／（（ｎ×ｃｏｓ−１）×√ｎ2−ｓｉｎ2θ3）が成立する
請求項５に記載の照明装置。
【請求項７】
前記凹状反射部は円錐状である
請求項１〜６のいずれかに記載の照明装置。
【請求項８】
基板表面に前記複数の発光素子が実装されてなる実装基板をさらに備え、
前記複数の発光素子は前記基板上において環状の素子列を形成し、
前記導光板は、前記素子列に沿って環状に配された環状部と、前記環状部の内側に前記環状部と連続して配された環内部とを有する円盤状であり、
前記凹状反射部が少なくとも前記環状部に存在している
請求項１〜７のいずれかに記載の照明装置。
【請求項９】
前記発光素子はＬＥＤである
請求項１〜８のいずれかに記載の照明装置。
【請求項１０】
前記発光素子に電力供給するための電源ユニットを有する
請求項１〜９のいずれかに記載の照明装置。
【発明の詳細な説明】
【技術分野】
【０００１】
本発明は、ＬＥＤ（Light Emitting Diode）等の発光素子を光源として備えるダウンライト型の照明装置に関する。本発明は特に、集光型の照明装置に関する。
【背景技術】
【０００２】
近年、省エネルギーの観点から、高効率・長寿命なＬＥＤ等の半導体発光素子を光源として利用した照明装置が開発されている。特に近年ではＬＥＤ発光モジュールの広い発光面積を利用したダウンライトやスポットライトが提案されている。例えば特許文献１では、面状発光部を有するＬＥＤ発光モジュールとフレネルレンズを具備した集光型の照明装置が提案されている。
【０００３】
図１９の断面図に特許文献１記載の照明装置８００の構成を示す。照明装置８００は、筐体８０１と、筐体８０１の内部に収納された発光モジュール８０２と、光路上に配されたフレネルレンズ８０３とを備える。発光モジュール８０２は板状の基体８０２０と、基体８０２０上に実装された発光素子（ＬＥＤ）８０２１と、発光素子８０２１の前方の配された蛍光体層８０２２とを備える。照明装置８００に電力供給することにより各発光素子８０２１が点灯する。発光素子８０２１から出射された光Ｌ1、Ｌ2はフレネルレンズ８０３を透過する。光Ｌ1、Ｌ2はフレネルレンズ８０３にて平行光に調整され、外部に照射される。
【先行技術文献】
【特許文献】
【０００４】
【特許文献１】特開２０１２−１１４０２２号公報
【発明の概要】
【発明が解決しようとする課題】
【０００５】
しかしながら従来の集光方式の照明装置では、一定の配光角で集光するために光源からレンズまでの間に所定の長さの光路を確保することが必要である。その結果、照明装置の薄型化と狭配向とを同時に実現することは難しかった。
例えば、特許文献１記載の従来の照明装置８００では、配向性を評価するための指標のひとつである１／２ビーム角を４５°とした場合には、光源の発光部からレンズ表面までの光路長に２７ｍｍの長さが必要であった。他方、上記光路長を１０ｍｍに短縮した場合には１／２ビーム角は１００°となり、薄型と狭配向との両立に向けては、さらなる改善が必要であった。
【０００６】
本発明は上記課題に鑑みてなされたものであって、薄型で狭配向を実現可能な照明装置を提供することを目的とする。
【課題を解決するための手段】
【０００７】
上記目的を達成するために、本発明の一態様に係る照明装置は、複数の発光素子と、前記複数の発光素子から出射した光を板内において導光する導光板と、前記導光板の主面の少なくとも一部を覆う集光カバーとを備え、前記導光板は、前記主面と背向する裏面の一部を凹入させ且つ前記導光板の板内に導光される光を前記集光カバー側に反射させる複数の凹状反射部を有し、前記集光カバーは、前記各凹状反射部と個別に光学的な対向関係を保って配置され且つ前記各凹状反射部からの反射光を前記導光板の主面に垂直な主出射方向に集光する複数のレンズ部とを有し、前記レンズ部は、光軸上の基準位置からレンズ表面の任意位置までの距離と、前記基準位置及びレンズ表面の任意位置を通る直線と前記光軸とのなす角度とを関係付ける関係式により、表面形状が規定される非球面レンズであり、前記レンズ部の頂部を含む第１レンズ領域と、前記レンズ部の基部を含み且つ前記第１レンズ領域と隣り合う第２レンズ領域とを有し、前記第１レンズ領域の表面形状が第１関係式で規定され、前記第２レンズ領域の表面形状が、前記第１関係式で規定した場合に比べて前記距離が長くなる第２関係式で規定されている照明装置とする。
【０００８】
本発明の別の態様に係る照明装置では、前記集光カバーは、主面に前記各レンズ部が配置された板状のベース部をさらに有し、前記集光カバーは、前記ベース部の主面と背向する裏面において前記導光板の主面と対向配置され、前記各レンズ部のピッチをＷ、前記導光板の板厚をＤとするとき、１．５≦Ｗ／Ｄ≦２．５の関係が成立する構成とすることもできる。
【０００９】
本発明の別の態様に係る照明装置では、前記導光板中の基準位置Ａから前記第１レンズ領域の表面の任意位置までの距離をｒ1、前記基準位置Ａから前記頂部までの距離をｔ1、前記距離ｒ1を通る直線と前記レンズ部の光軸との間の角度をθ1、ｎを前記導光板の屈折率とするとき、前記第１関係式としてｒ1＝（ｎ−１）×ｔ1／（ｎ−ｃｏｓθ1）が成立する構成とすることもできる。
【００１０】
本発明の別の態様に係る照明装置では、前記導光板中の基準位置Ａから前記第２レンズ領域の表面の任意位置までの距離をｒ2、基準位置Ａから前記第１レンズ領域の表面までの最大高さをｔ1、前記距離ｒ2を通る直線と前記レンズ部の光軸との間の角度をθ2、ｎを前記導光板の屈折率、ｋ1、ｋ2を正の定数、基準位置Ａから前記レンズ部の表面における前記第１レンズ領域と前記第２レンズ領域との境界を通る直線と前記レンズ部の光軸との間の角度をθchとするとき、前記第２関係式としてｒ2＝（ｎ−１）｛ｔ1＋ｋ1（θ2−θch）k2／（ｎ−ｃｏｓθ2）が成立する構成とすることもできる。
【００１１】
本発明の別の態様に係る照明装置では、前記集光カバーは、前記導光板の主面と対向するように配置された複数の補助レンズ部をさらに有し、前記各補助レンズ部は前記各レンズ部と個別に互いの光軸が一致するように配置されている構成とすることもできる。
本発明の別の態様に係る照明装置では、前記補助レンズ部の光軸に沿った前記導光板中の基準位置Ｂから前記補助レンズ部の表面の任意位置までの距離をｒ3、前記基準位置Ｂから前記補助レンズの頂部までの距離をｔ3、前記距離ｒ3を通る直線と前記補助レンズ部の光軸との間の角度をθ3、ｎを前記集光カバーの屈折率とするとき、第３関係式としてｒ3＝（ｎ−１）×ｔ3×ｃｏｓθ3／（（ｎ×ｃｏｓ−１）×√ｎ2−ｓｉｎ2θ3）が成立する構成とすることもできる。
【００１２】
本発明の別の態様に係る照明装置では、前記凹状反射部を円錐状とすることもできる。
本発明の別の態様に係る照明装置では、基板表面に前記複数の発光素子が実装されてなる実装基板をさらに備え、前記複数の発光素子は前記基板上において環状の素子列を形成し、前記導光板は、前記素子列に沿って環状に配された環状部と、前記環状部の内側に前記環状部と連続して配された環内部とを有する円盤状であり、前記凹状反射部が少なくとも前記環状部に存在している構成とすることもできる。
【００１３】
本発明の別の態様に係る照明装置では、前記発光素子をＬＥＤとすることもできる。
本発明の別の態様に係る照明装置では、前記発光素子に電力供給するための電源ユニットを有する構成とすることもできる。
【発明の効果】
【００１４】
本発明の一態様に係る照明装置では、導光板と、導光板の主面の少なくとも一部を覆うように配される集光カバーとを用いることで、発光素子からレンズ部に至る光路の短縮を図れる。この光路の短縮によって照明装置の薄型化を実現できる。
また、集光カバーに設けられたレンズ部は、光軸上の基準位置からレンズ表面の任意位置までの距離と、基準位置及びレンズ表面の任意位置を通る直線と光軸とのなす角度とを関係付ける関係式により、表面形状が規定される。レンズ部は、レンズ部の頂部を含み且つ表面形状が第１関係式で規定される第１レンズ領域と、レンズ部の基部を含み且つ第１レンズ領域と隣り合い、表面形状が第２関係式で規定される第２レンズ領域とを有する。ここで第２関係式は、第２レンズ領域の表面形状を第１関係式で規定した場合に比べて前記距離が長くなる関係式である。
【００１５】
このような形状のレンズ部によれば、導光板から集光カバーに光を入射させた場合、第２レンズ領域の表面への光の入射角を小さくできる。これにより、第２レンズ領域の表面で正反射されて戻る光や、第２レンズ領域の表面で正反射されて拡散する光が低減し、第２レンズ領域から外部に向けて効率よく光を出射できる。
従ってレンズ部からは、第２レンズ領域から外部に出射させる光と、レンズ部の頂部を含む第１レンズ領域から外部に出射される光とを、導光板の主面に垂直な主出射方向に集光して出射できる。結果として、優れた狭配向の集光特性を得ることが可能な照明装置を提供できる。
【図面の簡単な説明】
【００１６】
【図１】実施の形態１に係る照明装置１００の構成及び設置例を示す、一部断面図である。
【図２】照明器具１の外観構成と内部構成を示す斜視図である。
【図３】照明器具１の正面図である。
【図４】照明器具１の内部構成を示す分解図である。
【図５】照明器具１の内部構成を示す断面斜視図である。
【図６】反射部材３０の構成を示す正面図である。
【図７】図５の領域Ａの拡大断面図である。
【図８】図５の領域Ｂの拡大断面図である。
【図９】上レンズ部５０１及び下レンズ部５０２の具体的な構成を示す断面図である。
【図１０】上レンズ部５０１の第１レンズ領域５０１０と第２レンズ領域５０１１の各表面形状を示すグラフである。
【図１１】下レンズ部５０２の表面形状を示すグラフである。
【図１２】集光カバー５０Ａ周辺における課題を示す図である。
【図１３】集光カバー５０周辺で奏される効果を示す図である。
【図１４】集光カバー５０Ｂ周辺における課題を示す図である。
【図１５】集光カバー５０周辺で奏される効果を示す図である。
【図１６】実施例と比較例の照度分布のシミュレーション結果を示すグラフである。
【図１７】図１６における配向角度±３０°以内の曲線を拡大したグラフである。
【図１８】シミュレーション結果に基づき算出した、実施例と比較例の±１０°及び±２０°の範囲の光束を比較したグラフである。
【図１９】従来の照明装置８００の構成を示す断面図である。
【発明を実施するための形態】
【００１７】
以下、本発明の実施の形態に係る照明装置について図面を参照しながら説明する。
＜実施の形態＞
（照明装置１００）
図１の一部断面図に示すように、照明装置１００は、照明器具１と、掛止部材３と、電源ユニット４とを備えてなる。掛止部材３は板バネであり、照明器具１の背面側にあるベース１０に取着される。電源ユニット４は照明器具１を点灯させる。電源ユニット４は配線２３において照明器具１と電気接続されている。照明装置１００は、天井等の造営材に設置する埋設型のダウンライトである。
【００１８】
図１に示す照明装置１００では、電源ユニット４が天井２に設けた貫通孔２ａを介し、天井２の裏面２ｂに載置される。貫通孔２ａにベース１０が収納されるように照明器具１が配置される。掛止部材３は貫通孔２ａの周縁に掛止される。これにより照明装置１００が天井２に設置される。
照明器具１は、外観的には図２に示すように、ベース１０と、集光カバー５０と、拡散カバー６０とで構成される。ベース１０に設けられた切欠部１６からは配線２３が外部に延出されている。図２中の点線は、照明器具１に内蔵された実装基板２０と、実装基板２０における基板２１と、発光素子２２の各位置を示す。照明器具１は、正面から見ると図３に示すように、集光カバー５０の周囲が拡散カバー６０で覆われている。照明器具１のサイズは、一例として外径約１３６ｍｍ、厚み約１８ｍｍである。
（照明器具１）
照明器具１は分解図の図４に示すように、ベース１０と、実装基板２０と、反射部材３０と、導光板４０と、集光カバー５０と、拡散カバー６０とを有する。照明器具１は全体形状が円盤状である。ベース１０と、実装基板２０と、反射部材３０と、導光板４０と、集光カバー５０と、拡散カバー６０とは、外周が円形状に形成される。
［ベース１０］
ベース１０は放熱特性に優れる材料、例えばアルミニウム等の金属材料で構成される。ベース１０は、本体部１１と、フランジ部１２とを有する。フランジ部１２には切欠部１６が存在する。
【００１９】
本体部１１は、中央側から周縁側に向けて、円盤状の内側底部１３と、内側底部１３の周縁に立設された側壁部１４と、側壁部１４の周囲に配された環状の外側底部１５とを有する。
内側底部１３には実装基板２０と反射部材３０とが順次重ねて載置される。外側底部１５には導光板４０の環状外周部４３が載置される。
【００２０】
フランジ部１２は本体部１１の周囲に立設される。ベース１０はフランジ部１２のＺ方向頂部付近において、拡散カバー６０の側壁部６２と接着剤やシール部材等を用いて接合される。
［実装基板２０］
実装基板２０は、環状の基板２１と、複数の発光素子２２と、配線２３とを有する。
【００２１】
基板２１は、例えば、セラミックス材料や熱伝導樹脂等からなる絶縁層と、アルミニウム等からなる金属層とを積層した構造を有する。基板２１の表面には発光素子２２と配線２３とを電気接続するための配線パターン（不図示）が形成される。
発光素子２２は、一例としてＬＥＤである。基板２１の反射部材３０と対向する表面に対し、発光素子２２がその主出射方向を垂直（Ｚ）方向に合わせて実装される。基板２１上で各発光素子２２は、互いに一定間隔をおいて円周状の素子列を形成する。実装基板２０では、一例として合計１８個の発光素子２２が配線パターンに対し、ＣＯＢ（Chip on Board）技術を用いてフェイスアップ実装されている。
【００２２】
尚、基板２１の表面は、発光素子２２の出射光を効率良く導光板４０側へ反射させるために光反射性を有する反射面となっている。
配線２３は、電源ユニット４側より発光素子２２に電力供給を行うために用いられる。配線２３の両端は、基板２１の配線パターンと、電源ユニット４とに電気接続されている。
［反射部材３０］
反射部材３０は板状部材であり、導光板４０からの戻り光を導光板４０側に反射する。反射部材３０は実装基板２０と導光板４０との間に挟設される。反射部材３０は、高光反射特性を有する材料、例えばポリブチレンテレフタレート（ＰＢＴ）樹脂、ポリカーボネート（ＰＣ）樹脂、ナイロン樹脂、発泡樹脂等を用いて構成される。これらの樹脂材料で反射部材３０を射出成形することで、高精度で反射部材３０を構成できる。反射部材３０は、少なくともその表面において光反射特性を有していれば良い。
【００２３】
照明器具１の断面図（図５）と、反射部材３０の正面図（図６）と、図５の領域Ａの拡大断面図（図７）に反射部材３０の具体的構成を示す。反射部材３０は中央側から外側に向けて、内側反射部３１と、凹入部３２と、外側反射部３３とを有する。反射部材３０の外径はベース１０の側壁部１４の内径と略一致する。内側反射部３１は上面３１０において導光板４０と対向する。また外側反射部３３は上面３２０において導光板４０と対向する。
【００２４】
図５のように内側反射部３１は、実装基板２０の発光素子２２の実装位置より内側の位置に設けられる。また外側反射部３３は、実装基板２０の発光素子２２の実装位置より外側の位置に設けられる。内側反射部３１と外側反射部３３とは、導光板４０からの戻り光を再度、導光板４０側に反射させる。
凹入部３２は図５と図７とに示すように、実装基板２０の各発光素子２２の実装位置に対応する反射部材３０の領域を、厚み（Ｚ）方向に沿って実装基板２０側に凹入させてなる。
【００２５】
図７に示すように、凹入部３２の内部には、反射部材３０の厚み（Ｚ）方向を貫通する複数の開口３４が一定間隔をおいて存在する。開口３４の位置は、実装基板２０上の各発光素子２２の位置と一致する。
［導光板４０］
導光板４０は、発光素子２２から出射した光をその板内において導光する。図４のように導光板４０は、反射部材３０と集光カバー５０（拡散カバー６０）との間に介設される。これにより、導光板４０の上方から出射される光は集光カバー５０と拡散カバー６０とに入射される。導光板４０は透光性に優れる材料、例えばアクリル樹脂、ポリカーボネート樹脂、ポリスチレン樹脂、ガラスのいずれか等からなる。具体的構成として、導光板４０は中央側から外側に向けて、環内部４１と、環状部４２と、環状外周部４３とを有する。一例として、導光板４０の外径は約１２８ｍｍ、板厚Ｄ3（図９）は約１．５ｍｍである。
【００２６】
（ｉ）環内部４１
環内部４１は円盤状であり、環状部４２より導光板４０の板内に入射された発光素子２２の光を発光素子２２の実装位置よりも内側に導光する。環内部４１の直径は約８０ｍｍである。図５の領域Ｂの拡大断面図（図８）に示すように、環内部４１の裏面４０１には複数の凹状反射部４０３が存在する。凹状反射部４０３は裏面４０１の一部を凹入させてなり、導光板４０の板内を導光される光を主面４０２側に反射させる。凹状反射部４０３は裏面４０１側より主面４０２に向けて、円錐体状に形成されてなる。凹状反射部４０３の斜面間のテーパー角（頂角）は例えば６０°である。各凹状反射部４０３の重心は、凹状反射部４０３の真上に位置する集光カバー５０の下レンズ部５０２及び上レンズ部５０１の光軸上とそれぞれ重なるように配置されている。
【００２７】
凹状反射部４０３は環内部４１において多数（ここでは合計４９１個）にわたり、環内部４１の中心から周囲に向かって同心円状に形成されている。一例として、環内部４１の直径方向に沿った凹状反射部４０３のピッチは約３ｍｍである。また一例として、凹状反射部４０３のＺ方向高さは０．４ｍｍ以上１．０ｍｍ以下である。
尚、凹状反射部４０３のサイズを大きくすると、表面積の増加により凹状反射部４０３で反射される光量が増大する。凹状反射部４０３のサイズが大き過ぎると、拡散光の量も増加する。凹状反射部４０３の真上の下レンズ部５０２及び上レンズ部５０１に光を適切に入射させるために、凹状反射部４０３のサイズは少なくとも真上に位置する上レンズ部５０１の直径を超えない程度にすべきである。
【００２８】
尚、環内部４１の主面４０２と集光カバー５０の裏面とには、互いに嵌合可能な微小サイズの凸部と凹部（不図示）とが同順に設けられる。凸部と凹部とは、例えば集光カバー５０の中心Ｏの付近において、互いに約１２０°ずつ円周角を異ならせた３か所の位置に対応して設けられる。これにより導光板４０と集光カバー５０との位置合わせが行われる。
【００２９】
（ｉｉ）環状部４２
環状部４２は、発光素子２２の出射光を導光板４０側に導光する入光部である。図４に示すように環状部４２は、反射部材３０の凹入部３２と重ねて配置される。これにより環状部４２は、実装基板２０上の各発光素子２２の実装位置に亘るように形成される。
具体的な構成として環状部４２は、図７に示すように、素子対向部４２０と、内側傾斜部４２１Ａと、外側傾斜部４２１Ｂとを有してなる。環状部４２は全体として略Ｖ字断面形状を有する。
【００３０】
素子対向部４２０は、発光素子２２と近接配置される。素子対向部４２０の表面は一例として平坦面である。
内側傾斜部４２１Ａと外側傾斜部４２１Ｂは、素子対向部４２０より遠ざかるにつれて滑らかに傾斜角度が漸増する断面形状を有する。内側傾斜部４２１Ａは環内部４１と連続している。外側傾斜部４２１Ｂは環状外周部４３と連続している。内側傾斜部４２１Ａと外側傾斜部４２１Ｂとは、垂直（Ｚ）方向に対して互いに逆方向に傾斜する。これにより内側傾斜部４２１Ａと外側傾斜部４２１Ｂは、素子対向部４２０より直上（Ｚ）方向に沿って入射した入射光をその内部で同順に環内部４１と環状外周部４３とに効率よく導光させる。
【００３１】
尚、照明器具１では意匠上の理由により、内側傾斜部４２１ＡのＺ方向高さを外側傾斜部４２１ＢのＺ方向高さより高くしている。内側傾斜部４２１Ａと外側傾斜部４２１ＢのＺ方向高さを揃えることで、照明器具１をさらに薄型化することが可能である。
（ｉｉｉ）環状外周部４３
環状外周部４３は、環状部４２より導光板４０の内部に入射された発光素子２２の光を、発光素子２２の実装位置よりも外側に導光する。
【００３２】
図７に示すように、環状外周部４３の裏面４３０には、Ｚ方向に向けて複数の凹状反射部４０４が存在している。凹状反射部４０４は頂角が６０°の円錐体状の凹陥部であり、Ｚ方向高さは凹状反射部４０３と同一である。
［集光カバー５０］
集光カバー５０は、導光板４０からの出射光を集光して前方に出射させる。集光カバー５０は導光板４０の少なくとも一部を覆うように配される集光カバー５０は、全体として透光性に優れる材料、例えばシリコーン樹脂、アクリル樹脂、ポリカーボネート樹脂、ガラス等を用いて構成される。照明器具１において、集光カバー５０は導光板４０と接するように配される。
【００３３】
図９の拡大断面図に示すように、集光カバ−５０は、ベース部５００と、上レンズ部５０１と、下レンズ部５０２とを有する。
（ｉ）ベース部５００
ベース部５００は、ＸＹ方向を平面方向とする板状部である。ベース部５００の主面には上レンズ部５０１が形成される。ベース部５００の裏面には下レンズ部５０２が形成される。ベース部５００の裏面は導光板４０の主面４０２と対向配置される。
【００３４】
ベース部５００の板厚Ｄ1はできるだけ薄くすることが望ましい。一例として、ベース部５００の板厚Ｄ1は０．５ｍｍ、レンズピッチＷは３．０５ｍｍである。また、下レンズ部５０２の頂部５０２０ａから上レンズ部５０１の頂部５０１０ａまでの高さＤ2は２．５ｍｍである。
（ｉｉ）上レンズ部５０１
上レンズ部５０１は微小な非球面レンズであり、ベース部５００の上面から上方（Ｚ方向）に形成される。上レンズ部５０１は、光軸上の基準位置からレンズ表面の任意位置までの距離と、基準位置及びレンズ表面の任意位置を通る直線と光軸とのなす角度とを関係付ける関係式により、表面形状が規定される。集光カバー５０において、上レンズ部５０１は導光板４０からの出射光を集光するレンズ部として用いる。上レンズ部５０１は、第１レンズ領域５０１０と、第２レンズ領域５０１１とを有してなる。
【００３５】
第１レンズ領域５０１０は、上レンズ部５０１の頂部５０１０ａを含む領域である。第１レンズ領域５０１０は、例えば以下に示す形状を有する。図９のように上レンズ部５０１の光軸に沿った導光板４０中の基準位置Ａから第１レンズ領域５０１０の表面の任意位置までの距離をｒ1、基準位置Ａから上レンズ部５０１の頂部５０１０ａまでの高さをｔ1とする。さらに距離ｒ1を通る直線と第１レンズ領域５０１０の光軸との間の角度をθ1、導光板４０の屈折率をｎとする。このとき、光軸に沿った第１レンズ領域５０１０の断面形状は、以下の関係式１（式１）で規定される。
【００３６】
（式１）
ｒ1＝（ｎ−１）×ｔ1／（ｎ−ｃｏｓθ1）
第２レンズ領域５０１１は、上レンズ部５０１の基部５０１１ａを含み且つ、第１レンズ領域５０１０と連続し、第１レンズ領域５０１０よりも緩やかな表面形状を有する。第２レンズ領域５０１１は、例えば以下に示す形状を有する。上レンズ部５０１の光軸に沿った導光板４０中の基準位置Ａから第２レンズ領域５０１１の表面の任意位置までの距離をｒ2、導光板４０の主面に垂直な方向に沿った基準位置Ａから上レンズ部５０１の頂部５０１０ａまでの高さをｔ1とする。さらに距離ｒ2を通る直線と上レンズ部５０１の光軸との間の角度をθ2、ｎを導光板４０の屈折率、ｋ1、ｋ2を正の定数、基準位置Ａから上レンズ部５０１の表面における第１レンズ領域５０１０と第２レンズ領域５０１１との境界を通る直線（距離ｒ0に沿った直線）と上レンズ部５０１の光軸との間の角度をθchとする。このとき第２レンズ領域５０１１の表面形状は、以下の第２関係式（式２）で規定される。
【００３７】
（式２）
ｒ2＝（ｎ−１）｛ｔ1＋ｋ1（θ2−θch）k2／（ｎ−ｃｏｓθ2）
第２関係式（式２）で第２レンズ領域５０１１の表面形状を規定することにより、第２レンズ領域５０１１を第１関係式で規定した場合に比べ、基準位置Ａから第２レンズ領域５０１１の表面の任意位置までの距離が長くなる。ここでは一例として、ｔ2＞ｔ1となる第２レンズ領域５０１１の基準高さをｔ2とし、ｋ2＝１、ｋ1＝（ｔ2−ｔ1）／（ｃｏｓ-1（１／ｎ）−θch）とした。
【００３８】
図１０は、第１レンズ領域５０１０と第２レンズ領域５０１１の各表面形状を示すグラフであり、光軸（縦軸）に沿った上レンズ部５０１の表面形状の一部を示す。縦軸のレンズ高さと横軸のレンズ半径（ｒ）とはそれぞれ相対値で示している。境界Ｑの位置は、θch＝２５°となる位置としている。ここで、第２レンズ領域５０１１の表面（実線で示される部分）は、表面形状を第１関係式で規定したときの第２レンズ領域５０１１の表面（点線Ｖで示される部分）に比べて外側に位置する。
【００３９】
図１０に示すように、θchの角度を変化させ、境界Ｑの位置を縦軸に沿ったいずれかの方向に移動させることにより、上レンズ部５０１の第１レンズ領域５０１０の高さｈ3と、第２レンズ領域５０１１の高さｈ4との比率を調整できる。θchの角度を小さくすることにより、上レンズ部５０１の表面で正反射する光の割合を小さくすることが可能となるが、配光角度０°における放射強度が下がり、１／２ビーム角度も大きくなる。θchの適正角度は導光板４０の厚みと凹状反射部４０３の大きさに起因する。例えば導光板４０の厚みが１．５ｍｍで凹状反射部４０３の径がφ０．９ｍｍの場合、θchの角度を２０°以上にすることにより、第１レンズ領域５０１０の表面で正反射する光は存在しなくなる。また、図９に示したｔ2の値を大きくすることにより、上レンズ部５０１の表面で正反射する光の割合を小さくすることが可能となるが、配光角度０°における放射強度が下がり、１／２ビーム角度も大きくなる。
【００４０】
上記より、θchの値は２０°〜３０°の範囲が効果的であり、本実施形態ではθch＝２５°とした。またｔ2は１＜ｔ2／ｔ1＜１．１の範囲が効果的であり、本実施形態ではｔ1＝３．９ｍｍに対してｔ2／ｔ1＝１．０５とした。
（ｉｉｉ）下レンズ部５０２
下レンズ部５０２は微小な非球面レンズ（凸レンズ）であり、上レンズ部５０１の第２レンズ領域５０１１よりも曲率が大きい。下レンズ部５０２は導光板４０からの出射光を上レンズ部５０１で集光する際、集光カバー５０内で正反射を繰り返す光を低減し、集光特性を向上させるための補助レンズとして用いられる。下レンズ部５０２は導光板４０と対向配置されるベース部５００の裏面に形成される。
【００４１】
下レンズ部５０２は、例えば以下の関係式が成立する形状を有する。図１１は、下レンズ部５０２の表面形状を示すグラフである。下レンズ部５０２の光軸に沿った集光カバー５０の下方向の基準位置Ｂから下レンズ部５０２の表面の任意位置までの下レンズ部５０２の距離をｒ3、基準位置Ｂから下レンズ部５０２の頂部５０２０ａまでの距離をｔ3とする。さらに導光板４０の屈折率をｎ、下レンズ部５０２の光軸（軸Ｐ）と距離ｒ3を通る直線との間の角度をθ3とする。このとき下レンズ部５０２では、以下の第３関係式（式３）が成立する。
【００４２】
（式３）
ｒ3＝（ｎ−１）×ｔ3×ｃｏｓθ3／（（ｎ×ｃｏｓ−１）×√ｎ2−ｓｉｎ2θ3）
下レンズ部５０２の高さ（図９に示すＤ2−（ｈ3＋ｈ4））は、一例として（０．２）ｍｍである。また、下レンズ部５０２のｔ3値は一例としてｔ3＝８０ｍｍである。ｔ3値が小さい場合、ｔ1値の適正値が小さくなり、レンズピッチが小さくなる。これにより、隣のレンズに入射される光の割合が増大するため、ｔ3値としては出来るだけ大きい値が望まれる。
【００４３】
尚、発明者らの検討によれば、集光カバー５０と導光板４０とを接するように配置し、集光カバー５０と導光板４０との距離を０ｍｍとすることが望ましい。この構成によれば、上レンズ部５０１と下レンズ部５０２のレンズ形状を調整することで、１／２ビーム角を１０°以下１００°以上の範囲に制御できる。
（ｉｖ）集光カバー５０の全体的形状
照明器具１において、上レンズ部５０１と下レンズ部５０２とは導光板４０の凹状反射部４０３の各々と個別に光学的な対向関係を保って配置される。さらに集光カバー５０において、上レンズ部５０１と下レンズ部５０２とは、各光軸が集光カバー５０の厚み（Ｚ）方向に沿った軸Ｐ上に重なるように、ベース部５００を挟んで個別に対応する位置に配置される（図８）。
【００４４】
集光カバー５０を作製する際、ベース部５００と、上レンズ部５０１と、下レンズ部５０２とは一体的に射出成形される。図３に示すように、上レンズ部５０１は多数（ここでは４９１個）にわたり、集光カバー５０の中央点Ｏから周縁に向けて同心円状に密集して形成される。ＸＹ平面に沿った各上レンズ部５０１のピッチと各下レンズ部５０２のピッチは、いずれも一例として３．０５ｍｍである。ここで図９のように導光板４０の板厚をＤ3とし、図８のように隣接する上レンズ部５０１のピッチ（下レンズ部５０２のピッチ）をＷとするとき、板厚Ｄ3及びレンズピッチＷは１．５≦Ｗ／Ｄ≦２．５の関係が成立するように設定される。
［拡散カバー６０］
拡散カバー６０は、導光板４０の環状外周部４３からの出射光を散乱光とする。拡散カバー６０は透光性材料、例えばシリコーン樹脂、アクリル樹脂、ポリカーボネート樹脂、ガラス等を用いて構成される。
【００４５】
具体的構成としては図３と図４とに示すように、拡散カバー６０は本体部６１と、側壁部６２とを有する。
本体部６１は円環状であり、光散乱処理が施されて導光板４０からの出射光を効率よく散乱する。光散乱処理としては、例えば導光板４０と対向する本体部６１の表面を微細に凹凸処理する。本体部６１は導光板４０の環状外周部４３を覆うように配される。本体部６１の中央に存在する開口６３からは、集光カバー５０の上レンズ部５０１が外部露出される。開口６３の直径は、一例として約８０ｍｍである。
【００４６】
側壁部６２は本体部６１の周縁に配される。側壁部６２はベース１０のフランジ部１２と接合される。
（照明装置１００の基本動作）
以上の構成を有する照明装置１００に電源投入すると、商業用電源に接続された電源ユニット４から配線２３を介して各発光素子２２に電力供給がなされる。これにより各発光素子２２が駆動される。各発光素子２２で生じた出射光は、反射部材３０の各開口３４を介して環状部４２より導光板４０に入射する。入射光は導光板４０の板内で正反射を繰り返し、環内部４１と環状外周部４３の両方に導光される。導光板４０より下方に漏れ出た戻り光は反射部材３０の上面３１０、３２０において反射され、導光板４０に再度入射される。
【００４７】
導光板４０の環内部４１に導光された発光素子２２の出射光は、凹状反射部４０３において真上（Ｚ）方向またはその近傍方向に反射され、各凹状反射部４０３の真上に位置する下レンズ部５０２と上レンズ部５０１とに順次入射される。入射光は下レンズ部５０２と上レンズ部５０１で集光される。凹状反射部４０３の中心付近から下レンズ部５０２と上レンズ部５０１とに入射された光は、平行光として出射される。凹状反射部４０３の中心より離れた位置から下レンズ部５０２と上レンズ部５０１とに入射された光は、軸Ｐに対してやや傾斜した方向に集光される。このように集光された光は距離約２０００ｍｍ先にある照射面において、配光角±約５°以内に照度ピークを有する狭配向の照明光となる。
【００４８】
一方、導光板４０の環状外周部４３に導光された発光素子２２の出射光は、凹状反射部４０４において厚み（Ｚ）方向またはその近傍方向に反射される。その後、出射光は上方の拡散カバー６０に入射される。入射光は光散乱処理された本体部６１で拡散され、外部に出射される。
（照明装置１００で奏される効果）
照明装置１００では、主として以下の諸効果を期待できる。
【００４９】
［１］上レンズ部５０１により奏される効果
図１２に、比較例の集光カバー５０Ａを用いた場合の様子を示す。集光カバー５０Ａは、単一の焦点距離の上レンズ部５０１Ａを有する。図１２中、導光板４０の主面として裏面４０１Ａと、主面４０２Ａとを示す。上レンズ部５０１Ａの曲率は第１レンズ領域５０１０の曲率と同一である。また上レンズ部５０１ＡのＺ方向高さは上レンズ部５０１の高さ（ｈ3＋ｈ4）と同一である。
【００５０】
集光カバー５０Ａを用いると、レンズ焦点Ｃより照射された光は、上レンズ部５０１Ａの表面で屈折し、Ｌａのように光軸に対して平行に放射される。しかしながら、レンズ焦点Ｃよりずれた位置から照射し、上レンズ部５０１Ａの表面に当たった光Ｌ3は、上レンズ部５０１Ａの表面への入射角θ3が大きいために正反射を繰り返し、導光板４０Ａに入射される戻り光となる場合がある。また同様に、上レンズ部５０１Ａの表面への入射角θ4が大きいために、上レンズ部５０１Ａから周囲に拡散する光Ｌ4が発生する場合がある。
【００５１】
これらの問題に対し、集光カバー５０を用いることで奏される効果を図１３に示す。上レンズ部５０１において、第２レンズ領域５０１１の曲率は第１レンズ領域５０１０の曲率よりも小さい。第２レンズ領域５０１１の表面は第１レンズ領域５０１０の表面よりも緩やかに傾斜している。従って、図１２に示したＬ3やＬ4のように進行する光を第２レンズ領域５０１１に入射させた場合には、入射の際の入射角を小さく抑制し、正反射を防止できる。図１３では、光Ｌ3やＬ4と同じ方向より進行する光Ｌ5、Ｌ6が、図１２の入射角θ3、θ4よりも小さな入射角θ5、θ6で第２レンズ領域５０１１にそれぞれ入射される様子を示す。光Ｌ5、Ｌ6は外部に突き抜け、真上方向またはその近傍方向に向けて出射される。但し、レンズ焦点Ｃより照射された光は、上レンズ部５０１Ａの表面で屈折し、Ｌａのように光軸に対して少し外に広がった方向に放射される。
【００５２】
さらに集光カバー５０では、第２レンズ領域５０１１の上に第１レンズ領域５０１０を位置させることで、第２レンズ領域５０１１の内側から上レンズ部５０１に入射する光Ｌ7を十分に小さな入射角θ7で入射させることができる。この光Ｌ7は第１レンズ領域５０１０から外部に突き抜け、真上方向またはその近傍方向に向けて出射される。このように第２レンズ領域５０１１から外部に出射させる光と、上レンズ部５０１の頂部５０１０ａを含む第１レンズ領域５０１０から外部に出射される光とにより、導光板４０の主面に垂直な主出射方向（Ｚ方向）に光を集光して効率よく出射できる。結果として、優れた狭配向の集光特性を得ることが可能な照明装置１００を提供できる。
【００５３】
［２］導光板４０の板厚により奏される効果
図１４に、比較例の導光板４０Ｂ及び集光カバー５０Ｂを用いた場合の様子を示す。導光板４０Ｂの板厚Ｄ4は、導光板４０板厚Ｄ3よりも厚い。上レンズ部５０１Ｂの曲率は図１０の上レンズ部５０１Ａと同一である。また上レンズ部５０１ＢのＺ方向高さは上レンズ部５０１の高さ（ｈ3＋ｈ4）と同一である。この場合、上レンズ部５０１Ｂの表面で正反射した光Ｌ8が戻り光となり、斜め方向より導光板４０Ｂに入射されることがある。このとき、導光板４０Ｂ内の光路が比較的長いために、光Ｌが導光板４０Ｂの裏面４０１Ｂで反射されて別の上レンズ部５０１Ｂに入射されることにより、拡散光となるおそれがある。
【００５４】
この問題に対し、導光板４０の板厚により奏される効果を図１５に示す。照明装置１００では、導光板４０の板厚Ｄ3に対する上レンズ部５０１のピッチ（下レンズ部５０２のピッチ）Ｗが１．５≦Ｗ／Ｄ3≦２．５を満たすように設定されるので、この範囲で上レンズ部５０１のピッチ（下レンズ部５０２のピッチ）Ｗと導光板４０の板厚Ｄ3とを小さくできる。これにより厚み（Ｚ）方向付近に沿った導光板４０の光路を短くできる。
【００５５】
ここで図１５に示すように、光Ｌ8と同じ方向に進行し、上レンズ部５０１の表面で正反射した光Ｌ9を想定する。光Ｌ9が戻り光となって斜め方向より導光板４０Ｂに入射された場合、導光板４０内の光路が短いと、光Ｌ9は導光板４０の裏面４０１で反射されたのち、再度、真上の上レンズ部５０１に入射され易くなる。これにより光Ｌ9が拡散光となるのを防ぎ、光Ｌ9を照射光として有効利用できる。尚、発明者らの行った実験によれば、導光板４０の板厚Ｄ3を１．５ｍｍから１．２ｍｍまで薄くすると、光取り出し効率が１０％程度向上することが確認された。従って作製可能な範囲において、導光板４０の板厚Ｄ3を薄くすることが望ましい。
【００５６】
また、上レンズ部５０１の径が２．７ｍｍ以上の場合、板厚Ｄ1を０．５ｍｍとすると、光Ｌ8のような拡散光を効果的に防止できる。レンズ製作上の課題を考慮しなければ、板厚Ｄ1が小さいほど拡散光を効果的に防止できる。一方、上レンズ部５０１に対する光の入射角が全反射角に近くなると透過率が低くなるのを避ける目的で、上レンズ部５０１の径を２．７ｍｍ以下としてもよい。
【００５７】
以上の各効果を奏することにより、照明装置１００では配光角０°付近に照度が集中する照度分布を実現できる。よって、優れた集光特性を得ることが可能な照明装置１００を提供できる。
［３］照明装置１００の薄型化に関する効果
図１９に示した従来の照明装置８００では、例えば照度分布において光度が最大光度の１／２以上となる角度範囲の配向角（以下、「１／２ビーム角」と称する。）を±４５°以内に設定する場合、蛍光体層８０２２の径を６０ｍｍとすると、フレネルレンズ８０３の径は１６２ｍｍとなる。このとき、発光素子８０２１とフレネルレンズ８０３との間の光路（距離ｈ1）として２７ｍｍを確保しなければならない。これにより照明装置８００において薄型化を図ることは困難である。
【００５８】
これに対して照明装置１００では、各凹状反射部４０３の真上（Ｚ）方向に位置する上レンズ部５０１及び下レンズ部５０２に対し、各凹状反射部４０３より近距離より平行光を入射できる。従って図７に示すように、照明器具１の厚み（Ｚ）方向における発光素子２２と集光カバー５０との間の光路（距離ｈ2）を比較的短くできる。これにより照明器具１の厚みを１８ｍｍ程度以下にまで抑制でき、照明装置１００の薄型化を良好に図ることが可能である。
＜性能確認＞
照明装置１００の性能を確認するため、照度分布における配光特性についてシミュレーションによる計算を行った。
【００５９】
実施例として照明装置１００を用いた。比較例として、集光カバーに単一の焦点距離を有する上レンズ部を設けたこと以外は実施例と同一構成の照明装置を用いた。実施例と比較例とでは、いずれも集光カバーのベース部の厚みを０．５ｍｍ、ベース部上面からの上レンズ部の高さを１．８ｍｍ、ベース部裏面からの下レンズ部の高さを０．２ｍｍとした。実施例では、第１レンズ領域５０１０と第２レンズ領域５０１１の切り替わり角度θch＝２５°とした。実施例と比較例の照射面の位置は無限遠に設定した。
【００６０】
図１６は、実施例と比較例の照度分布における配光特性についてのシミュレーション結果を直交座標における１８０°配向分布で示したグラフである。図１７は図１６における配向角度±３０°以内の曲線を拡大したグラフである。図１６、図１７の縦軸は対数表示の照射強度とした。図１８はシミュレーション結果に基づき算出した、実施例と比較例の±１０°及び±２０°の範囲の光束を比較したグラフである。
【００６１】
図１６を見ると、比較例では配向角±７０°付近において、照射強度が急激に高くなり、ピークが見られる。さらに図１７の結果を見ると、比較例では配向角±１０°付近においても照射強度に若干のピークが見られる。配向角±７０°付近のピークは、図１２に示したような、レンズ表面で正反射し、対峙した面から放射されたＬ4の光に起因するものと推測される。このようなピークは照射面において不要なリング光を形成し、集光特性を低下させる原因になる。
【００６２】
これに対し実施例では、図１６に示す配向角±３０°〜±９０°の範囲においては比較例のような目立ったピークは見られず、配向角の絶対値の増大に伴って照射強度が連続的に滑らかに低下している。また図１７に示すように、配向角がおよそ±３°以上から±２３°以下の配光角度の範囲内において、比較例よりも照射強度が高くなっているが、比較例のような不要なピークは見られない。このため、実施例ではリング光の形成が比較例よりも抑制されている。
【００６３】
図１８の結果では、実施例は配向角が±１０°範囲及び±２０°範囲のいずれにおいても比較例より高い光束を呈している。このような結果が得られた理由として、実施例では上レンズ部５０１を第１レンズ領域５０１０と第２レンズ領域５０１１の組み合わせで構成したことにより、出射光が効率よく光軸方向に放射され、配向角±２０°以内における光束が増加したものと推測される。
＜その他の事項＞
本発明に係る照明装置は、埋設型のシーリングライトに限定されない。例えば造営材の表面に設置されるシーリングライトであってもよい。また、ダウンライト、バックライトなど、照明用途の全般に広く利用可能である。
【００６４】
本発明において、掛止部材３は必須ではない。照明器具１はネジ止めやリベット、接着等を用いて造営材に固定してもよい。
照明装置１００では、電源ユニット４と照明器具１とを別個の構成としたが、本発明はこの構造に限定されない。すなわち本発明の照明装置は、照明器具１が電源ユニット４を内蔵してなる構成としてもよい。
【００６５】
本発明に係る発光素子は、例えば、ＬＤ（レーザダイオード）や、ＥＬ素子（エレクトリックルミネッセンス素子）であっても良い。また本発明に係る発光素子としては、ＳＭＤ（Surface Mount Device）型でもよい。
また本発明に係る照明装置では、導光板の環状外周部と拡散カバーは必須ではない。従って、導光板の環状外周部と拡散カバーとを省略することもできる。
【００６６】
上記実施の形態では、反射部材３０を一体型として構成した。しかしながら本発明では、隣接する開口３４同士を互いに連通させてもよい。この場合、反射部材３０は内側反射部３１と外側反射部３３の２部材で構成することができる。
上記各実施の形態では、実装基板２０の上方に設ける板状部材として反射部材３０を例示した。しかしながら本発明では板状部材の構成を反射部材に限定しない。すなわち、板状部材を反射性を有さない構成とすることもできる。
【００６７】
上記各実施の形態では照明器具１を円盤状としているが、照明器具１はこの形状に限定されない。例えば長尺状の基板本体に複数の発光素子を配列させて実装基板２０を構成してもよい。この場合、ベース１０、反射部材３０、導光板４０、集光カバー５０、拡散カバー６０をそれぞれ実装基板２０と同様に長尺状に構成する。これにより照明器具１を長尺状とすることもできる。
【００６８】
導光板４０において、凹状反射部４０３は少なくとも上レンズ部５０１及び下レンズ部５０２の配設位置に合わせて設ければよい。
また、凹状反射部４０４は必須の構成ではないので、設けなくてもよい。さらに凹状反射部４０４は、凹状反射部４０３と同一の構成としてもよい。
集光カバー５０において、下レンズ部５０２は省略してもよい。すなわち、集光カバー５０に設けるレンズ部は、少なくとも導光板４０との対向面と背向する面上に形成されていればよい。しかしながら、集光カバー５０と導光板４０とが過度に密着すると、導光板４０の主面４０２で光の正反射が増えることがある。従って、戻り光の増加を防止するためにも集光カバー５０に下レンズ部５０２を設けることは好適である。
【符号の説明】
【００６９】
１    照明器具
２    天井
４    電源ユニット
１０    ベース
２０    実装基板
２１    基板
２２    発光素子
３０    反射部材
３１    内側反射部
３２    凹入部
３３    外側反射部
３４    開口
４０、４０Ａ、４０Ｂ、９４０    導光板
４１    内側導光部
４２    環状部
４３    外側導光部
５０    集光カバー
６０    拡散カバー
１００    照明装置
４０１、４０１Ｂ    裏面
４０２、４０２Ｂ    主面
４０３、４０３Ａ、４０３Ｂ、４０４    凹状反射部
５００    ベース部
５０１    上レンズ部
５０２    下レンズ部
５０１０    第１レンズ領域
５０１０ａ    上レンズ部の頂部
５０１１    第２レンズ領域
５０１１ａ    基部
５０２０ａ    下レンズ部の頂部
【図１】
2014160616.tif 000003
【図２】
2014160616.tif 000004
【図３】
2014160616.tif 000005
【図４】
2014160616.tif 000006
【図５】
2014160616.tif 000007
【図６】
2014160616.tif 000008
【図７】
2014160616.tif 000009
【図８】
2014160616.tif 000010
【図９】
2014160616.tif 000011
【図１０】
2014160616.tif 000012
【図１１】
2014160616.tif 000013
【図１２】
2014160616.tif 000014
【図１３】
2014160616.tif 000015
【図１４】
2014160616.tif 000016
【図１５】
2014160616.tif 000017
【図１６】
2014160616.tif 000018
【図１７】
2014160616.tif 000019
【図１８】
2014160616.tif 000020
【図１９】
2014160616.tif 000021